(57)【要約】【課題】  第１レイアウトが選択されている期間中に画像データの受信に伴って受信したコード情報を第１レイアウトへのレイアウト切り替え後に自動的に画面表示させることができる複合機を提供することを目的とする。【解決手段】  受信した画像データを当該画像データの受信に伴って受信したコード情報に関連付けて保持する受信データ記憶部と、表示画面を有するディスプレイと、受信した画像データに対応するコード情報を表示画面上に表示するとともに、キー入力に基づいて画面表示のレイアウトを着信表示可能な第１レイアウト及び着信表示不可能な第２レイアウト間で切り替える表示制御部により構成される。表示制御部は、第１レイアウトを選択している期間中に画像データを受信した場合に、受信後直ちにコード情報を表示し、第２レイアウトを選択している期間中に受信した場合に、第１レイアウトへの切り替え後にコード情報を表示する。【選択図】  図３
2009188693.tif 000002
【特許請求の範囲】
【請求項１】
通信回線を介して画像データを受信する画像データ受信部と、
受信した画像データを当該画像データの受信に伴って受信したコード情報に関連付けて保持する受信データ記憶部と、
キー入力のための操作部と、
上記キー入力に基づく操作情報を表示するための表示画面を有するディスプレイと、
受信した画像データに対応する上記コード情報を上記表示画面上に表示するとともに、上記キー入力に基づいて、画面表示のレイアウトを着信表示可能な第１レイアウト、及び、着信表示不可能な第２レイアウト間で切り替える表示制御部とを備え、
上記表示制御部が、上記第１レイアウトを選択している期間中に画像データを受信した場合に、受信後直ちに上記コード情報を表示し、上記第２レイアウトを選択している期間中に画像データを受信した場合に、上記第１レイアウトへの切り替え後に上記コード情報を表示することを特徴とする複合機。
【請求項２】
上記表示制御部による第２レイアウトから第１レイアウトへのレイアウト切り替えを検知するレイアウト切替検知部と、
上記レイアウト切替検知部による検知結果に基づいて、上記コード情報によって指定されたデータフォルダ内に画像データを格納する受信データ管理部とを備えたことを特徴とする請求項１に記載の複合機。
【請求項３】
上記表示制御部による第２レイアウトから第１レイアウトへのレイアウト切り替えを検知するレイアウト切替検知部と、
上記レイアウト切替検知部による検知結果に基づいて、画像データの受信エラーを報知するエラー報知部とを備えたことを特徴とする請求項１に記載の複合機。
【請求項４】
受信した画像データを用紙に印刷するプリンタ部と、
上記表示制御部による第２レイアウトから第１レイアウトへのレイアウト切り替えを検知するレイアウト切替検知部とを備え、
上記プリンタ部が、上記レイアウト切替検知部による検知結果に基づいて、受信した画像データを印刷することを特徴とする請求項１に記載の複合機。
【発明の詳細な説明】
【技術分野】
【０００１】
本発明は、複合機に係り、さらに詳しくは、受信した画像データに対応するコード情報を画面表示し、画面表示のレイアウトを着信表示可能な第１レイアウト及び着信表示不可能な第２レイアウト間で切り替え可能な複合機の改良に関する。
【背景技術】
【０００２】
ファクシミリ機能、スキャナ機能及びプリンタ機能を有する複合機は、通常、これらの機能を同時に実行することができるようになっている（例えば、特許文献１及び２）。例えば、画像データのファクシミリ送信中に他の画像データを用紙に印刷し、或いは、原稿の読み取り中にファクシミリ受信した画像データを印刷することができる。この様な複合機では、同時に実行可能な各機能について、同時に実行させた際に起こり得る事象を予め想定して設計が行われている。具体的には、動作状態を画面表示する際の優先順位、キー入力値の取込先などが予め定められている。
【０００３】
近年、ユーザが指定した機能を追加することができる印刷装置が提案されている（例えば、特許文献３及び４）。そこで、上述した複合機において、ユーザが指定した機能を追加できるようにすることが考えられる。しかしながら、ユーザが後から付加した追加機能と予め備えられた他の機能とを同時に実行させた際に起こり得る事象を前もって想定するのは困難である。このため、追加機能と他の機能とが同時に実行可能である場合、追加機能の実行中に他の機能に不具合が生じた際に、追加機能によっては不具合情報を画面表示できないという問題があった。例えば、着信表示可能なデフォルトのレイアウトと、ユーザが後から追加したレイアウトであって、追加機能の実行によって切り替えられるユーザレイアウトとのいずれかを画面表示のレイアウトとして選択可能とすることが考えられる。この場合、ユーザレイアウトでは、レイアウトが崩れるので、ユーザが着信表示を許可しないケースが考えられる。
【０００４】
そこで、追加機能の実行中は、画像データの受信機能を除いて他の機能を制限することが考えられる。ところが、この様な構成では、画像データの受信に伴って受信したＴＳＩ（Transmitting Subscriber Identification：送信端末識別情報）などのコード情報が画面表示されないという問題があった。
【特許文献１】特開平１１−２０５５２５号公報
【特許文献２】特開平９−２８４４６０号公報
【特許文献３】特開２００７−２００３０号公報
【特許文献４】特開平５−３４５４５７号公報
【発明の開示】
【発明が解決しようとする課題】
【０００５】
本発明は、上記の事情に鑑みてなされたものであり、受信した画像データに対応するコード情報を画面表示し、画面表示のレイアウトを着信表示可能な第１レイアウト及び着信表示不可能な第２レイアウト間で切り替え可能な複合機の利便性を向上させることを目的とする。特に、第２レイアウトが選択されている期間中に画像データの受信に伴って受信したコード情報を第１レイアウトへのレイアウト切り替え後に自動的に画面表示させることができる複合機を提供することを目的とする。
【課題を解決するための手段】
【０００６】
第１の本発明による複合機は、通信回線を介して画像データを受信する画像データ受信部と、受信した画像データを当該画像データの受信に伴って受信したコード情報に関連付けて保持する受信データ記憶部と、キー入力のための操作部と、上記キー入力に基づく操作情報を表示するための表示画面を有するディスプレイと、受信した画像データに対応する上記コード情報を上記表示画面上に表示するとともに、上記キー入力に基づいて、画面表示のレイアウトを着信表示可能な第１レイアウト、及び、着信表示不可能な第２レイアウト間で切り替える表示制御部とを備え、上記表示制御部が、上記第１レイアウトを選択している期間中に画像データを受信した場合に、受信後直ちに上記コード情報を表示し、上記第２レイアウトを選択している期間中に画像データを受信した場合に、上記第１レイアウトへの切り替え後に上記コード情報を表示するように構成される。
【０００７】
この複合機では、画面表示のレイアウトがキー入力に基づいて切り替えられ、第２レイアウトが選択されている期間中に画像データを受信した場合に、第１レイアウトへの切り替え後にコード情報が表示される。従って、第２レイアウトが選択されている期間中に画像データの受信に伴って受信したコード情報を第１レイアウトへのレイアウト切り替え後に自動的に画面表示させることができる。ここで、画像データの受信に伴って受信するコード情報としては、発信者番号表示サービス利用時における発信者電話番号などのように、通信経路上で付加される情報と、ＴＳＩ、サブアドレスなどのように送信元で付加される情報とが考えられる。
【０００８】
第２の本発明による複合機は、上記構成に加え、上記表示制御部による第２レイアウトから第１レイアウトへのレイアウト切り替えを検知するレイアウト切替検知部と、上記レイアウト切替検知部による検知結果に基づいて、上記コード情報によって指定されたデータフォルダ内に画像データを格納する受信データ管理部とを備えて構成される。この様な構成によれば、受信した画像データをコード情報によって指定されたデータフォルダ内に第１レイアウトへの切り替え後に自動的に格納させることができる。
【０００９】
第３の本発明による複合機は、上記構成に加え、上記表示制御部による第２レイアウトから第１レイアウトへのレイアウト切り替えを検知するレイアウト切替検知部と、上記レイアウト切替検知部による検知結果に基づいて、画像データの受信エラーを報知するエラー報知部とを備えて構成される。この様な構成によれば、画像データの受信エラーを第１レイアウトへの切り替え後に自動的に報知させることができる。
【００１０】
第４の本発明による複合機は、上記構成に加え、受信した画像データを用紙に印刷するプリンタ部と、上記表示制御部による第２レイアウトから第１レイアウトへのレイアウト切り替えを検知するレイアウト切替検知部とを備え、上記プリンタ部が、上記レイアウト切替検知部による検知結果に基づいて、受信した画像データを印刷するように構成される。この様な構成によれば、受信した画像データを第１レイアウトへの切り替え後に自動的に印刷させることができる。
【発明の効果】
【００１１】
本発明による複合機によれば、第２レイアウトが選択されている期間中に画像データを受信した場合に、第１レイアウトへの切り替え後にコード情報が表示される。このため、第２レイアウトが選択されている期間中に画像データの受信に伴って受信したコード情報を第１レイアウトへのレイアウト切り替え後に自動的に画面表示させることができる。従って、受信した画像データに対応するコード情報を画面表示し、画面表示のレイアウトを第１レイアウト及び第２レイアウト間で切り替え可能な複合機の利便性を向上させることができる。
【発明を実施するための最良の形態】
【００１２】
図１は、本発明の実施の形態による複合機を含む画像処理システム１００の概略構成の一例を示したシステム図である。この画像処理システム１００は、インターネット又はＬＡＮなどの通信ネットワーク３を介して互いに通信可能なＰＣ（パーソナルコンピュータ）４、文書管理サーバ５及びＭＦＰ１からなる。
【００１３】
文書管理サーバ５は、通信ネットワーク３上の端末装置で作成された文書を管理するサーバであり、例えば、ＰＣ４からの指示に基づいて文書を印刷用の画像データとしてＭＦＰ１に転送する動作が行われる。
【００１４】
ＭＦＰ（Multi-Function Peripheral）１は、プリンタ機能、スキャナ機能及びファクシミリ機能を有する複合機であり、これらの機能を選択的に実行することができるようになっている。プリンタ機能は、画像データを用紙に印刷する機能であり、例えば、通信ネットワーク３を介して文書管理サーバ５から転送された画像データが印刷される。
【００１５】
スキャナ機能は、原稿を読み取る機能である。ファクシミリ機能は、画像データをＦＡＸ（ファクシミリ）送受信する機能であり、例えば、原稿から読み取られた画像データが通信ネットワーク３又はＰＳＴＮ（Public Switched Telephone Networks：公衆回線網）２を介して他の通信装置へＦＡＸ送信される。或いは、通信ネットワーク３又はＰＳＴＮ２を介して他の通信装置から画像データがＦＡＸ受信される。
【００１６】
ここでいうＦＡＸ送受信とは、通信回線を利用して画像データを送受信する通信形態のことであり、所定の通信プロトコルに従って画像データが伝送される。通信ネットワーク３を利用して画像データを電子メールとして送受信する場合には、ヘッダ情報又はメール本文として、宛先情報、送信元情報、件名情報などの付加情報が画像データと共に送受信される。例えば、ＴＯ情報、ＦＲＯＭ情報、ＳＵＢＪＥＣＴ情報として付加された情報が画像データと共に送受信される。また、ＰＳＴＮ２を利用して画像データを送受信する場合には、画像データの送受信に伴って、ＴＳＩ、発信者電話番号などの送信元識別情報と、サブアドレス、パスワードなど親展通信用の送信付加情報とが送受信される。
【００１７】
このＭＦＰ１では、画像データをＦＡＸ受信した際に、画像データの受信に伴って受信したコード情報を画面表示する動作が行われる。画像データの受信に伴って受信されるコード情報としては、発信者番号表示サービス利用時における発信者電話番号などのように、通信経路上で付加される情報と、ＴＳＩ、サブアドレスなどのように送信元で付加される情報とが考えられる。さらに、コード情報には、画像データが電話回線網を介して受信する場合に、１回の着信ごとに画像データに付加される付加情報が含まれる。また、画像データが電子メールとして受信する場合には、１件の電子メールごとに付加される付加情報が含まれる。
【００１８】
本実施の形態によるＭＦＰ１では、コード情報などを画面表示する際の表示レイアウトとして、予め定められたデフォルトレイアウトと、ユーザが後から追加したユーザレイアウトとのいずれかが選択可能となっている。ここで、デフォルトレイアウトは、着信表示可能なレイアウトであるのに対して、ユーザレイアウトは、着信表示不可能なレイアウトとなっている。
【００１９】
図２は、図１の画像処理システム１００におけるＭＦＰ１の構成例を示したブロック図である。このＭＦＰ１は、バス１０、ＣＰＵ１１、ＲＯＭ１２、ＲＡＭ１３、操作部１４、ディスプレイ１５、スキャナ部１６、プリンタ部１７及びＦＡＸ送受信部１８により構成される。
【００２０】
操作部１４は、スタートキー、ストップキーなどの操作キーを有するキー入力のための入力手段である。ディスプレイ１５は、キー入力に基づく操作情報、動作状態などを表示するための表示画面を有する表示装置である。
【００２１】
ＦＡＸ送受信部１８は、通信ネットワーク３又はＰＳＴＮ２を介して画像データを送受信するための通信制御手段であり、例えば、通信ネットワーク３を介して文書管理サーバ５から転送された画像データを受信し、プリンタ部１７へ出力する動作が行われる。画像データをＦＡＸ受信した際には、画像データの受信に伴って受信したコード情報、例えば、送信元識別情報がディスプレイ１５上に表示される。
【００２２】
プリンタ部１７は、画像データを用紙に印刷するための印刷ユニットである。この様な画像データとしては、文書管理サーバ５から転送されたものの他に、原稿から読み取られた画像データであっても良い。
【００２３】
スキャナ部１６は、原稿を読み取るための読取ユニットであり、用紙に印刷された原稿画像を光学的に読み取って画像データを生成する動作を行っている。この画像データは、例えば、プリンタ部１７へ出力され、用紙に印刷される。或いは、ＦＡＸ送受信部１８を介して他の通信装置へＦＡＸ送信される。
【００２４】
ＲＯＭ１２には、スキャナ機能、プリンタ機能、ＦＡＸ機能などの機能を実現するために、予め定められたデフォルトプログラムが格納されている。このデフォルトプログラムは、製品出荷までに作成された固定のプログラムである。
【００２５】
ＲＡＭ１３には、ユーザが後から追加した機能を実現するためのユーザプログラムが格納される。このユーザプログラムは、製品出荷後にユーザによって付加された変更可能なプログラムであり、例えば、通信ネットワーク３上のウェブサーバからアプリケーションプログラムをダウンロードすることによって得られる。或いは、ＲＯＭ１２上のデフォルトプログラムを組み合わせることによって作成される。
【００２６】
デフォルトプログラム及びユーザプログラムは、ＣＰＵ１１によって選択的に実行される。デフォルトプログラムの実行時には、ディスプレイ１５における画面表示のレイアウトとして、予め定められたデフォルトレイアウトを用いて情報表示が行われる。ユーザプログラムの実行時には、ユーザが後から追加したユーザレイアウトを用いて情報表示が行われる。
【００２７】
図３は、図２のＭＦＰ１の要部における構成例を示したブロック図であり、ＣＰＵ１１内の機能構成の一例が示されている。このＣＰＵ１１は、表示制御部２１、受信データ記憶部２２、レイアウト切替検知部２３、エラー報知部２４、受信データ管理部２５及びＦＡＸデータ格納部２６により構成される。
【００２８】
表示制御部２１は、ＲＯＭ１２からデフォルトプログラムを読み出し、或いは、ＲＡＭ１３からユーザプログラムを読み出して、ディスプレイ１５の制御を行い、表示データを生成する動作を行っている。具体的には、ＦＡＸ受信した画像データに対応する送信元識別情報を表示画面上に表示する動作が行われる。また、操作部１４からのキー入力に基づいて、画面表示のレイアウトをデフォルトレイアウト及びユーザレイアウト間で切り替える動作が行われる。
【００２９】
より詳しくは、デフォルトレイアウトを選択している期間中に画像データをＦＡＸ受信した場合に、ＦＡＸ受信後直ちに送信元識別情報３２を表示する動作が行われる。一方、ユーザレイアウトを選択している期間中に画像データをＦＡＸ受信した場合には、デフォルトレイアウトへの切り替え後に送信元識別情報３２を表示する動作が行われる。ここで、画面表示のレイアウトとは、文字、図形などを表示する際の配置情報のことである。
【００３０】
受信データ記憶部２２は、ＦＡＸ受信した受信データを保持するためのメモリであり、ＦＡＸ受信した画像データ３１と、この画像データ３１の受信に伴って受信したコード情報、すなわち、送信元識別情報３２及びサブアドレス情報３３とが互いに関連付けて保持される。これらの受信データは、ＦＡＸ送受信部１８によって受信データ記憶部２２内に格納される。送信元識別情報３２には、送信元のＦＡＸ電話番号と、ＴＳＩ、カナＩＤとして送信元で登録された登録情報と、送信元のメールアドレスとが含まれる。
【００３１】
レイアウト切替検知部２３は、表示制御部２１によるユーザレイアウトからデフォルトレイアウトへのレイアウト切り替えを検知する動作を行っている。
【００３２】
エラー報知部２４は、レイアウト切替検知部２３による検知結果に基づいて、画像データの受信エラーを報知する動作を行っている。具体的には、デフォルトレイアウトが選択されている期間中に画像データのＦＡＸ受信があり、受信エラーが生じた場合に、ＦＡＸ受信後直ちにエラー情報を出力する動作が行われる。一方、ユーザレイアウトが選択されている期間中に画像データのＦＡＸ受信があり、受信エラーが生じた場合には、デフォルトレイアウトへの切り替え後にエラー情報を出力する動作が行われる。例えば、送信元識別情報は取得できたが、画像データは途中までしか取得できなかったような場合に、エラー情報が出力される。
【００３３】
受信データ管理部２５は、レイアウト切替検知部２３による検知結果に基づいて、ＦＡＸ受信した画像データ３１をサブアドレス情報３３によって指定されたデータフォルダ４１内に格納する動作を行っている。具体的には、デフォルトレイアウトが選択されている期間中に画像データをＦＡＸ受信した場合に、ＦＡＸ受信後直ちに当該画像データをデータフォルダ４１内に格納する動作が行われる。一方、ユーザレイアウトが選択されている期間中に画像データをＦＡＸ受信した場合には、デフォルトレイアウトへの切り替え後に画像データをデータフォルダ４１内に格納する動作が行われる。
【００３４】
ＦＡＸデータ格納部２６内には、この様なサブアドレス情報３３によって指定される複数のデータフォルダ４１が保持され、各データフォルダ４１内には、ＦＡＸ受信した画像データ３１からなる複数のデータファイル４２が格納されている。
【００３５】
プリンタ部１７では、レイアウト切替検知部２３による検知結果に基づいて、ＦＡＸ受信した画像データ３１を印刷する動作が行われる。具体的には、デフォルトレイアウトが選択されている期間中に画像データをＦＡＸ受信した場合に、ＦＡＸ受信後直ちに当該画像データを印刷する動作が行われる。一方、ユーザレイアウトが選択されている期間中に画像データをＦＡＸ受信した場合には、デフォルトレイアウトへの切り替え後に画像データを印刷する動作が行われる。
【００３６】
図４のステップＳ１０１〜Ｓ１０７は、図２のＭＦＰ１の動作の一例を示したフローチャートである。まず、ＦＡＸ送受信部１８は、画像データのＦＡＸ受信があれば、受信データを受信データ記憶部２２内に格納する（ステップＳ１０１，Ｓ１０２）。
【００３７】
次に、表示制御部２１は、画面表示のレイアウトとして、ユーザレイアウトを選択していれば、ユーザによるレイアウト切り替えのためのキー入力があるまで待機する（ステップＳ１０３，Ｓ１０４）。そして、表示制御部２１は、レイアウト切り替えのためのキー入力があれば、そのキー入力に基づいて画面表示のレイアウトをユーザレイアウトからデフォルトレイアウトに切り替える処理を実行し、画像データ３１の受信に伴って受信した送信元識別情報３２を表示する（ステップＳ１０５，Ｓ１０６）。
【００３８】
一方、画面表示のレイアウトとして、デフォルトレイアウトが選択されている場合には、画像データ３１の受信に伴って受信した送信元識別情報３２が受信後直ちに表示される（ステップＳ１０３，Ｓ１０６）。
【００３９】
次に、プリンタ部１７では、レイアウト切替検知部２３による検知結果に基づいて、ＦＡＸ受信した画像データ３１を用紙に印刷する処理が行われる（ステップＳ１０７）。
【００４０】
本実施の形態によれば、画面表示のレイアウトがキー入力に基づいて切り替えられ、ユーザレイアウトが選択されている期間中に画像データを受信した場合に、デフォルトレイアウトへの切り替え後に送信元識別情報３２が表示される。従って、ユーザレイアウトが選択されている期間中に画像データの受信に伴って受信した送信元識別情報３２をデフォルトレイアウトへのレイアウト切り替え後に自動的に画面表示させることができる。
【図面の簡単な説明】
【００４１】
【図１】本発明の実施の形態による複合機を含む画像処理システム１００の概略構成の一例を示したシステム図である。
【図２】図１の画像処理システム１００におけるＭＦＰ１の構成例を示したブロック図である。
【図３】図２のＭＦＰ１の要部における構成例を示したブロック図であり、ＣＰＵ１１内の機能構成の一例が示されている。
【図４】図２のＭＦＰ１の動作の一例を示したフローチャートである。
【符号の説明】
【００４２】
１  ＭＦＰ
２  ＰＳＴＮ
３  通信ネットワーク
４  ＰＣ
５  文書管理サーバ
１０  バス
１１  ＣＰＵ
１２  ＲＯＭ
１３  ＲＡＭ
１４  操作部
１５  ディスプレイ
１６  スキャナ部
１７  プリンタ部
１８  ＦＡＸ送受信部
２１  表示制御部
２２  受信データ記憶部
２３  レイアウト切替検知部
２４  エラー報知部
２５  受信データ管理部
２６  ＦＡＸデータ格納部
３１  画像データ
３２  送信元識別情報
３３  サブアドレス情報
１００  画像処理システム
【図１】
2009188693.tif 000003
【図２】
2009188693.tif 000004
【図３】
2009188693.tif 000005
【図４】
2009188693.tif 000006